(57)【特許請求の範囲】
【請求項１】
所定の建物内に設置され、当該建物内に設置された各設備機器を管理する建物管理装置と、当該建物外に設置され、当該各設備機器を管理する遠隔管理装置とを備えた遠隔管理システムにおいて、
前記建物管理装置は、
前記各設備機器に関するパラメータの許容限度値を示す限界抑制パターンを設定する限界抑制パターン設定手段と、
前記限界抑制パターン設定手段により設定された限界抑制パターンを前記遠隔管理装置に通知する建物側通信手段とを備え、
前記遠隔管理装置は、
前記建物側通信手段により通知された限界抑制パターンを取得する限界抑制パターン取得手段と、
前記各設備機器に関するパラメータの所定の設定値を示す抑制パターンを設定する抑制パターン設定手段と、
前記抑制パターン設定手段により設定された抑制パターンと、前記限界抑制パターン取得手段により取得された限界抑制パターンとを比較する比較手段と、
前記比較手段による比較結果に基づいて、抑制パターンまたは限界抑制パターンを変更抑制パターンに設定する設定手段と、
前記設定手段により設定された変更抑制パターンへのパラメータ設定値の変更指示を該当する設備機器に通知する遠隔側通信手段と、
限界抑制パターンの設定可否を設定する可否設定手段とを備え、
前記設定手段は、前記可否設定手段により限界抑制パターンの設定が禁止されている場合には、抑制パターンを変更抑制パターンに設定する
ことを特徴とする遠隔管理システム。
【請求項２】
前記遠隔管理装置は、
前記各設備機器から現在のパラメータ設定値を取得する設定値取得手段と、
前記設定手段により設定された変更抑制パターンと、前記設定値取得手段により取得されたパラメータ設定値とを比較する第２比較手段と、
前記第２比較手段による比較結果に基づいて、変更抑制パターンまたはパラメータ設定値を最終的な変更抑制パターンに設定する第２設定手段とを備え、
前記遠隔側通信手段は、前記設定手段より設定された変更抑制パターンに換えて、前記第２設定手段により設定された変更抑制パターンへのパラメータ設定値の変更指示を該当する設備機器に通知する
ことを特徴とする請求項１記載の遠隔管理システム。
【請求項３】
前記設定手段は、前記比較手段により抑制パターンが限界抑制パターンの範囲内であると判断された場合には、抑制パターンを変更抑制パターンに設定し、抑制パターンが限界抑制パターンの範囲外であると判断された場合には、限界抑制パターンを変更抑制パターンに設定する
ことを特徴とする請求項１または請求項２記載の遠隔管理システム。
【請求項４】
所定の建物外に設置され、当該建物内に設置された各設備機器を管理する遠隔管理装置において、
前記建物内に設置されて前記各設備機器を管理する建物管理装置により通知された、当該各設備機器に関するパラメータの許容限度値を示す限界抑制パターンを取得する限界抑制パターン取得手段と、
前記各設備機器に関するパラメータの所定の設定値を示す抑制パターンを設定する抑制パターン設定手段と、
前記抑制パターン設定手段により設定された抑制パターンと、前記限界抑制パターン取得手段により取得された限界抑制パターンとを比較する比較手段と、
前記比較手段による比較結果に基づいて、抑制パターンまたは限界抑制パターンを変更抑制パターンに設定する設定手段と、
前記設定手段により設定された変更抑制パターンへのパラメータ設定値の変更指示を該当する設備機器に通知する遠隔側通信手段と、
限界抑制パターンの設定可否を設定する可否設定手段とを備え、
前記設定手段は、前記可否設定手段により限界抑制パターンの設定が禁止されている場合には、抑制パターンを変更抑制パターンに設定する
ことを特徴とする遠隔管理装置。
【請求項５】
所定の建物内に設置され、当該建物内に設置された各設備機器を管理する建物管理装置と、当該建物外に設置され、当該各設備機器を管理する遠隔管理装置とを備えた遠隔管理システムの遠隔管理方法において、
前記建物管理装置は、
前記各設備機器に関するパラメータの許容限度値を示す限界抑制パターンを設定する限界抑制パターン設定ステップと、
前記限界抑制パターン設定ステップにおいて設定した限界抑制パターンを前記遠隔管理装置に通知する建物側通信ステップとを有し、
前記遠隔管理装置は、
前記建物管理装置により通知された限界抑制パターンを取得する限界抑制パターン取得ステップと、
前記各設備機器に関するパラメータの所定の設定値を示す抑制パターンを設定する抑制パターン設定ステップと、
前記抑制パターン設定ステップにおいて設定した抑制パターンと、前記限界抑制パターン取得ステップにおいて取得した限界抑制パターンとを比較する比較ステップと、
前記比較ステップにおける比較結果に基づいて、抑制パターンまたは限界抑制パターンを変更抑制パターンに設定する設定ステップと、
前記設定ステップにおいて設定した変更抑制パターンへのパラメータ設定値の変更指示を該当する設備機器に通知する遠隔側通信ステップと、
限界抑制パターンの設定可否を設定する可否設定ステップとを備え、
前記設定ステップは、前記可否設定ステップにより限界抑制パターンの設定が禁止されている場合には、抑制パターンを変更抑制パターンに設定する
ことを特徴とする遠隔管理方法。
【発明の詳細な説明】
【技術分野】
【０００１】
この発明は、建物内に設置された複数の設備機器を管理する遠隔管理システム、遠隔管理装置および遠隔管理方法に関するものである。
【背景技術】
【０００２】
建物内に設置された複数の設備機器を管理するシステムでは、設備機器に対する利用者による制御に加えて、管理者（現地建物管理者）による制御を可能としている（例えば特許文献１参照）。この特許文献１に開示されるシステムでは、利用者からの制御指示と管理者からの制御指示とを比較し、省エネ性および快適性の観点から、管理者からの制御指示が増エネルギーに寄与すると判断した場合には、これを拒否する。これにより、２つの制御指示に対して合理的な調整を行うことができる。なお、管理者は現場知見に基づいて制御指示を行う。
【先行技術文献】
【特許文献】
【０００３】
【特許文献１】特開２０１０−２８１４６６号公報
【発明の概要】
【発明が解決しようとする課題】
【０００４】
一方、省エネ促進などのため、空調や照明などの専門企業（遠隔管理者）が提供する遠隔監視、遠隔操作のサービスが普及し始めている。遠隔管理者は、省エネノウハウなどを実行するためのロジックを保有しており、これを活用することで管理対象の設備機器の省エネ促進を図ることができる。
【０００５】
しかしながら、遠隔管理者が保有するロジックによる遠隔操作を優先すると、現地建物管理者の現場知見による管理操作の利点が損なわれることになる。そのため、安全性や快適性などにおいて不具合が生じるおそれがある。
【０００６】
例えば、照明の照度操作を行う場合、遠隔管理者の省エネノウハウにより決定される照度では、建物の安全管理上の最低限の照度以下になってしまう危険性がある。
また、例えば、空調の温度設定値操作を行う場合、遠隔管理者の省エネノウハウにより決定される設定値では、居住者の体感する快適性が過度に犠牲になってしまう危険性がある（室内温度センサ設置箇所が居住者の周囲温度を計測できていない場合や、日射の影響を受ける系統で居住者の快適感を室内温度だけでは推し量れない場合、室内温度計測値が必ずしも設定値通りに制御できているわけではない場合など）。
【０００７】
逆に、現地建物管理者の現場知見による管理操作を優先すると、遠隔管理者が保有するロジックが活用できなくなり、省エネ促進が図れない。また、単に両者の操作を受け付けてしまうと、事実上のコンフリクトが発生するおそれがある。
【０００８】
この発明は、上記のような課題を解決するためになされたもので、遠隔管理者が保有するロジックおよび現地建物管理者が保有する現場知見をともに活用することができる遠隔管理システム、遠隔管理装置および遠隔管理方法を提供することを目的としている。
【課題を解決するための手段】
【０００９】
この発明に係る遠隔管理システムは、所定の建物内に設置され、当該建物内に設置された各設備機器を管理する建物管理装置と、当該建物外に設置され、当該各設備機器を管理する遠隔管理装置とを備え、建物管理装置は、各設備機器に関するパラメータの許容限度値を示す限界抑制パターンを設定する限界抑制パターン設定手段と、限界抑制パターン設定手段により設定された限界抑制パターンを遠隔管理装置に通知する建物側通信手段とを備え、遠隔管理装置は、建物側通信手段により通知された限界抑制パターンを取得する限界抑制パターン取得手段と、各設備機器に関するパラメータの所定の設定値を示す抑制パターンを設定する抑制パターン設定手段と、抑制パターン設定手段により設定された抑制パターンと、限界抑制パターン取得手段により取得された限界抑制パターンとを比較する比較手段と、比較手段による比較結果に基づいて、抑制パターンまたは限界抑制パターンを変更抑制パターンに設定する設定手段と、設定手段により設定された変更抑制パターンへのパラメータ設定値の変更指示を該当する設備機器に通知する遠隔側通信手段と、限界抑制パターンの設定可否を設定する可否設定手段とを備え、前記設定手段は、前記可否設定手段により限界抑制パターンの設定が禁止されている場合には、抑制パターンを変更抑制パターンに設定するものである。
【発明の効果】
【００１０】
この発明によれば、上記のように構成したので、遠隔管理者が保有するロジックおよび現地建物管理者が保有する現場知見をともに活用することができる。
【図面の簡単な説明】
【００１１】
【図１】この発明の実施の形態１に係る遠隔管理システムの構成を示す図である。
【図２】この発明の実施の形態１に係る遠隔管理装置の動作を示すフローチャートである。
【図３】この発明の実施の形態１に係る遠隔管理装置の動作を説明する図である。
【図４】この発明の実施の形態２に係る遠隔管理システムの構成を示す図である。
【図５】この発明の実施の形態２に係る遠隔管理装置の動作を説明する図である。
【発明を実施するための形態】
【００１２】
以下、この発明の実施の形態について図面を参照しながら詳細に説明する。
実施の形態１．
図１はこの発明の実施の形態１に係る遠隔管理システムの構成を示す図である。
遠隔管理システムは、図１に示すように、所定の建物内の複数の施設に設置された複数の設備機器（例えば空調機や照明など）１と、この建物内に設けられ、各設備機器１を現場で管理する建物管理装置２と、建物外に設けられ、各設備機器１を遠隔で管理する遠隔管理装置３とから構成されている。なお、建物管理装置２は現地建物管理者により操作され、遠隔管理装置３は空調や照明などの専門企業（遠隔管理者）により操作される。
【００１３】
設備機器１は、通信手段１１、設定値取得手段１２および制御手段１３から構成されている。
通信手段１１は、遠隔管理装置３との間でデータのやり取りを行うものである。
【００１４】
設定値取得手段１２は、自機の現在のパラメータ設定値（例えば温度や照度などの設定値）を示す情報を取得するものである。この設定値取得手段１２により取得された現在のパラメータ設定値を示す情報は、自機の属する系統を示す情報とともに設定情報として、通信手段１１を介して遠隔管理装置３に通知される。
制御手段１３は、通信手段１１を介して遠隔管理装置３から取得した変更抑制パターン情報に基づいて、自機の動作を制御するものである。この変更抑制パターン情報には、自機のパラメータ設定値に関する変更指示情報（変更抑制パターン）が含まれており、制御手段１３は、自機のパラメータ設定値を変更抑制パターンが示す値に変更する。
【００１５】
建物管理装置２は、通信手段（建物側通信手段）２１および限界抑制パターン設定手段２２から構成されている。
通信手段２１は、遠隔管理装置３との間でデータのやり取りを行うものである。
【００１６】
限界抑制パターン設定手段２２は、各設備機器１に関するパラメータの許容限度値（上下限値）を示す限界抑制パターンを設定するものである。この限界抑制パターンは、現地建物管理者の現場知見に基づいて設定される。
この限界抑制パターン設定手段２２により設定された限界抑制パターンを示す情報は、当該設備機器１の属する系統を示す情報とともに限界抑制パターン情報として、通信手段２１を介して遠隔管理装置３に通知される。
【００１７】
遠隔管理装置３は、通信手段（遠隔側通信手段）３１、限界抑制パターン取得手段３２、設定値取得手段３３、抑制パターン設定手段３４、第１比較手段（比較手段）３５、第１設定手段（設定手段）３６、第２比較手段３７および第２設定手段３８から構成されている。
【００１８】
通信手段３１は、各設備機器１や建物管理装置２との間でデータのやり取りを行うものである。
限界抑制パターン取得手段３２は、通信手段３１を介して、建物管理装置２からの限界抑制パターン情報を取得するものである。なお、この限界抑制パターン情報に含まれる限界抑制パターンは、遠隔管理装置３側で設定変更することはできない。
設定値取得手段３３は、通信手段３１を介して、各設備機器１からの設定情報を取得するものである。
【００１９】
抑制パターン設定手段３４は、各設備機器１に関するパラメータの所定の設定値を示す抑制パターンを設定するものである。この抑制パターンは、遠隔管理者が保有するロジック（例えば省エネノウハウを実行するためのロジック）に基づいて設定される。
【００２０】
第１比較手段３５は、系統ごとに、抑制パターン設定手段３４により設定された抑制パターンと、限界抑制パターン取得手段３２により取得された限界抑制パターンとを比較するものである。
第１設定手段３６は、第１比較手段３５による比較結果に基づいて、系統ごとに、抑制パターンまたは限界抑制パターンを仮の変更抑制パターンに設定するものである。
【００２１】
第２比較手段３７は、系統ごとに、第１設定手段３６により設定された仮の変更抑制パターンと、設定値取得手段３３により取得された現在のパラメータ設定値とを比較するものである。
第２設定手段３８は、第２比較手段３７による比較結果に基づいて、系統ごとに、仮の変更抑制パターンまたは現在のパラメータ設定値を最終的な変更抑制パターンに設定するものである。この第２設定手段３８により設定された最終的な変更抑制パターンを示す情報（変更抑制パターン情報）は、通信手段３１を介して該当する設備機器１に送信される。
【００２２】
次に、上記のように構成された遠隔管理システムの動作について説明する。図２はこの発明の実施の形態１に係る遠隔管理装置３の動作を示すフローチャートである。
なお、建物管理装置２では、予め、限界抑制パターン設定手段２２で、各設備機器１に関するパラメータに対して、現地建物管理者の現場知見に基づく限界抑制パターンを設定し、系統を示す情報とともに限界抑制パターン情報として遠隔管理装置３に通知している（限界抑制パターン設定ステップ、建物側通信ステップ）。
【００２３】
遠隔管理装置３の動作では、図２に示すように、まず、限界抑制パターン取得手段３２は、通信手段３１を介して、建物管理装置２からの限界抑制パターン情報を取得する（ステップＳＴ１、限界抑制パターン取得ステップ）。
また、設定値取得手段３３は、通信手段３１を介して、各設備機器１からの設定情報（現在のパラメータ設定値を示す情報、系統を示す情報）を取得する（ステップＳＴ２）。
【００２４】
次いで、抑制パターン設定手段３４は、各設備機器１に関するパラメータに対して、遠隔管理者が保有するロジック（例えば省エネノウハウを実行するためのロジック）に基づいて、抑制パターンを設定する（ステップＳＴ３、抑制パターン設定ステップ）。
【００２５】
次いで、第１比較手段３５は、系統ごとに、抑制パターン設定手段３４により設定された抑制パターンと、限界抑制パターン取得手段３２により取得された限界抑制パターンとを比較する（ステップＳＴ４、比較ステップ）。
次いで、第１設定手段３６は、第１比較手段３５による比較結果に基づいて、系統ごとに、抑制パターンまたは限界抑制パターンを仮の変更抑制パターンに設定する（ステップＳＴ５、設定ステップ）。ここで、第１設定手段３６は、遠隔管理装置３側で設定した抑制パターンが限界抑制パターンの範囲内である場合には抑制パターンを仮の変更抑制パターンに設定し、抑制パターンが限界抑制パターンの範囲外である場合には限界抑制パターンを仮の変更抑制パターンに設定する。
【００２６】
次いで、第２比較手段３７は、系統ごとに、第１設定手段３６により設定された仮の変更抑制パターンと、設定値取得手段３３により取得された現在のパラメータ設定値とを比較する（ステップＳＴ６）。
【００２７】
次いで、第２設定手段３８は、第２比較手段３７による比較結果に基づいて、系統ごとに、仮の変更抑制パターンまたは現在のパラメータ設定値を最終的な変更抑制パターンに設定する（ステップＳＴ７）。ここで、第２設定手段３８は、仮の変更抑制パターンの方が現在のパラメータ設定値より例えば省エネに貢献するものである場合には、仮の変更抑制パターンを最終的な変更抑制パターンに設定し、仮の変更抑制パターンより現在のパラメータ設定値の方が省エネに貢献するものである場合には、現在のパラメータ設定値を最終的な変更抑制パターンに設定する（パラメータ設定値の変更なし）。
この第２設定手段３８により設定された最終的な変更抑制パターンを示す情報は、通信手段１１を介して該当する設備機器１に通知され、当該設備機器１の制御手段１３で、この変更抑制パターンへの設定値変更が行われる（制御ステップ）。
【００２８】
次に、具体例を用いて、上記遠隔管理装置３の動作を説明する。図３はこの発明の実施の形態１に係る遠隔管理装置３の動作を説明する図である。なお、図３では、空調機により施設内を冷房している際に、遠隔管理装置３でパラメータ設定値（温度設定値）を変更する場合について示す。
図３では、系統（空調機）ごとに、抑制パターン設定手段３４で設定された抑制パターン（温度設定値）と、限界抑制パターン取得手段３２で取得された限界抑制パターン（上限温度設定値）と、設定値取得手段３３で取得された現在のパラメータ設定値（温度設定値）とがそれぞれ示されている。
これらのデータを用いて、以下のようにして各系統に通知する変更抑制パターンを設定する。
【００２９】
まず、系統Ａについて、第１比較手段３５は、抑制パターン（２５．５℃）と限界抑制パターン（２６℃）とを比較する。そして、第１設定手段３６は、値の小さい抑制パターン（２５．５℃）を仮の変更抑制パターンとして採用する。すなわち、遠隔管理装置３側で設定した抑制パターンが限界抑制パターンの範囲内に収まることから、省エネノウハウを活用可能と判断して抑制パターンを採用する。
次いで、第２比較手段３７は、仮の変更抑制パターン（２５．５℃）と、現在のパラメータ設定値（２５℃）とを比較する。そして、第２設定手段３８は、値の大きい仮の変更抑制パターン（２５．５℃）を最終的な変更抑制パターンとして採用し、通信手段３１を介して系統Ａの該当する設備機器１に通知する。すなわち、現在のパラメータ設定値が仮の変更抑制パターンより温度が低いことから、無駄なエネルギーを消費していると判断し、省エネ促進のため、仮の変更抑制パターンを採用する。
【００３０】
次に、系統Ｂについて、第１比較手段３５は、抑制パターン（２７℃）と限界抑制パターン（２６．５℃）とを比較する。そして、第１設定手段３６は、値の小さい限界抑制パターン（２６．５℃）を仮の変更抑制パターンとして採用する。すなわち、遠隔管理装置３側で設定した抑制パターンが限界抑制パターンの範囲を超えていることから、抑制パターンを採用すると安全性や快適性に不具合を生じるおそれがあり、限界抑制パターンを採用する。
次いで、第２比較手段３７は、仮の変更抑制パターン（２６．５℃）と、現在のパラメータ設定値（２５℃）とを比較する。そして、第２設定手段３８は、値の大きい仮の変更抑制パターン（２６．５℃）を最終的な変更抑制パターンとして採用し、通信手段３１を介して系統Ｂの該当する設備機器１に通知する。
【００３１】
次に、系統Ｃについて、第１比較手段３５は、抑制パターン（２６℃）と、限界抑制パターン（２５℃）とを比較する。そして、第１設定手段３６は、値の小さい限界抑制パターン（２５℃）を仮の変更抑制パターンとして採用する。
次いで、第２比較手段３７は、仮の変更抑制パターン（２５℃）と、現在のパラメータ設定値（２６．５℃）とを比較する。そして、第２設定手段３８は、値の大きい現在のパラメータ設定値（２６．５℃）を最終的な変更抑制パターンとして採用し、通信手段３１を介して系統Ｃの該当する設備機器１に通知する。すなわち、現在のパラメータ設定値が仮の変更抑制パターンより温度が高いことから、省エネ性が高く、また、この温度でも安全性や快適性にも問題がないものと判断し、パラメータ設定値の変更は行わない。
【００３２】
次に、系統Ｄについて、第１比較手段３５は、抑制パターン（２６．５℃）と限界抑制パターン（２６℃）とを比較する。そして、第１設定手段３６は、値の小さい限界抑制パターン（２６℃）を仮の変更抑制パターンとして採用する。
次いで、第２比較手段３７は、仮の変更抑制パターン（２６℃）と、現在のパラメータ設定値（２７℃）とを比較する。そして、第２設定手段３８は、値の大きい現在のパラメータ設定値（２７℃）を最終的な変更抑制パターンとして採用し、通信手段３１を介して系統Ｃの該当する設備機器１に通知する。
【００３３】
なお、図３の例では、冷房を行う空調機の温度設定値を変更する場合について示したが、暖房の場合には、上記動作の大小比較の採用が逆になる点以外は同様である。また、照明の照度を変更する場合等についても同様に動作させることができる。
【００３４】
以上のように、この実施の形態１によれば、現地建物管理者の現場知見が厳密かつ限定的な数値管理ばかりではなく、ある程度の幅が有ることに着眼し、現地建物管理者（建物管理装置２）には現場知見に基づく限界抑制パターン（上下限値）を設定する権利を与え、遠隔管理者（遠隔管理装置３）側では限界抑制パターンを設定変更できないようにして、限界抑制パターンの範囲内で、省エネノウハウなどを実行するためのロジックに基づく抑制パターンを適用できるように構成したので、双方の知見を活用し、かつ適正に抑制でき、また、管理上の不備も抑制できる。
【００３５】
なお、実施の形態１では、第２比較手段３７および第２設定手段３８において、仮の変更抑制パターンと現在のパラメータ設定値を比較して最終的な変更抑制パターンを設定するようにしているが、この処理を行わず、仮の変更抑制パターンをそのまま最終的な変更抑制パターンとして設備機器１に送信するようにしてもよい。
【００３６】
実施の形態２．
図４はこの発明の実施の形態２に係る遠隔管理システムの構成を示すブロック図である。図４に示す実施の形態２に係る遠隔管理システムは、図１に示す実施の形態１に係る遠隔管理装置３に可否設定手段３９を追加したものである。その他の構成は同様であり、同一の符号を付してその説明を省略する。
【００３７】
可否設定手段３９は、設備機器１のパラメータや系統ごとに、限界抑制パターンの設定可否を設定するものである。なお、この限界抑制パターンの設定可否は建物オーナの権限によって設定されるものであり、建物管理装置２側で設定変更することはできない。そして、限界抑制パターン設定が禁止とされている場合には、建物管理装置２による限界抑制パターンの設定は拒否され、第１設定手段３５は、抑制パターンを仮の変更抑制パターンに設定する。
【００３８】
次に、具体例を用いて、上記遠隔管理装置３の動作を説明する。図５はこの発明の実施の形態２に係る遠隔管理装置３の動作を説明する図である。なお、図５では、空調機により施設内を冷房している際に、遠隔管理装置３でパラメータ設定値（温度設定値）を変更する場合について示す。
図５では、系統（空調機）ごとに、抑制パターン設定手段３４で設定された抑制パターン（温度設定値）と、可否設定手段３９で設定された限界抑制パターン設定の許可・禁止情報と、限界抑制パターン取得手段３２で取得された限界抑制パターン（上限温度設定値）と、設定値取得手段３３で取得された現在のパラメータ設定値（温度設定値）とがそれぞれ示されている。
これらのデータを用いて、以下のようにして各系統に通知する抑制パターンを設定する。
【００３９】
まず、系統Ａ、Ｃでは、限界抑制パターン設定が許可されている。よって、実施の形態１（図３）と同様の処理が行われる。
一方、系統Ｂでは、限界抑制パターン設定が禁止されている。そのため、第１比較手段３５は比較処理を実施せず、第１設定手段３６は、抑制パターン（２７℃）を仮の変更抑制パターンとして採用する。
次いで、第２比較手段３７は、仮の変更抑制パターン（２７℃）と、現在のパラメータ設定値（２５℃）とを比較する。そして、第２設定手段３８は、値の大きい仮の変更抑制パターン（２７℃）を最終的な変更抑制パターンとして採用し、通信手段３１を介して系統Ｂの該当する設備機器１に通知する。
【００４０】
また、系統Ｄでも、限界抑制パターン設定が禁止されている。そのため、第１比較手段３５は比較処理を実施せず、第１設定手段３６は、抑制パターン（２６．５℃）を仮の変更抑制パターンとして採用する。
次いで、第２比較手段３７は、仮の変更抑制パターン（２６．５℃）と、現在のパラメータ設定値（２７℃）とを比較する。そして、第２設定手段３８は、値の大きい現在のパラメータ設定値（２７℃）を最終的な変更抑制パターンとして採用し、通信手段３１を介して系統Ｃの該当する設備機器１に通知する。
【００４１】
以上のように、この実施の形態２によれば、建物オーナが限界抑制パターン設定の許可・禁止を設定可能とするように構成したので、実施の形態１における効果に加えて、系統ごとに、遠隔管理者が保有するロジックによる遠隔操作を優先するか否かを変えることも可能であり、柔軟な管理操作を行うことができる。
【００４２】
なお、実施の形態１，２に係る遠隔管理システムは、１つの中央熱源機器を運転することによって、建物内の全ての施設を対象として空調を行うセントラル空調に適用可能である。また、複数の室外機と室内機を備え、建物内の施設ごとに空調を行うビル用マルチエアコン（ビルマル）にも適用可能である。
また、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４３】
１  設備機器
２  建物管理装置
３  遠隔管理装置
１１  通信手段
１２  設定値取得手段
１３  制御手段
２１  通信手段（建物側通信手段）
２２  限界抑制パターン設定手段
３１  通信手段（遠隔側通信手段）
３２  限界抑制パターン取得手段
３３  設定値取得手段
３４  抑制パターン設定手段
３５  第１比較手段（比較手段）
３６  第１設定手段（設定手段）
３７  第２比較手段
３８  第２設定手段
３９  可否設定手段
【図１】
0005748607.tif 000002
【図２】
0005748607.tif 000003
【図３】
0005748607.tif 000004
【図４】
0005748607.tif 000005
【図５】
0005748607.tif 000006